【事件の表示】
　平成　９年特許願第１１５０６３号「ＩＳＤＮ回線交換用ターミナルアダプタ」拒絶査定に対する審判事件〔平成１０年１１月　４日出願公開、特開平１０−２９４７３０、請求項の数（８）〕について、次のとおり審決する。
【結　論】
　原査定を取り消す。
　本願の発明は、特許すべきものとする。
【理　由】
１．手続の経緯・本件発明
　本件は、平成９年４月１８日の出願であって、その請求項１乃至８に係る発明は、平成１４年１１月１４日付け手続補正書の特許請求の範囲の請求項１乃至８に記載された事項により特定される次のとおりのものである。
　
「【請求項１】　既存の２台の端末（例えばアナログ電話機とデータ端末）をＩＳＤＮ回線に接続し、対話型通信を提供するＩＳＤＮ回線交換用ターミナルアダプタにおいて、
　前記アナログ電話機からの信号を一定速度のディジタル信号（ａ）に変換する手段、
　前記アナログ電話機からの信号を６４ｋｂｉｔ／ｓのディジタル信号（ｆ）に変換する手段、
　前記データ端末からの信号を一定速度のディジタル信号（ｂ）に変換する手段、
　前記データ端末からの信号を６４ｋｂｉｔ／ｓのディジタル信号（ｇ）に変換する手段、
　前記ディジタル信号（ａ）と前記ディジタル信号（ｂ）とを前記ＩＳＤＮ回線の情報チャネル（Ｂｃｈ）の１本分の帯域に時分割多重する第一の手段、
　要求される伝送速度に応じ、前記第一の手段の出力信号（ｃ２）を前記ＩＳＤＮ回線の１本の情報チャネルに割当て、または、前記ディジタル信号（ｆ）と前記ディジタル信号（ｇ）を前記ＩＳＤＮ回線の２本の情報チャネルへ多重して、前記ＩＳＤＮ回線で通信を行う手段、
　を備えたことを特徴とするＩＳＤＮ回線交換用ターミナルアダプタ。
　
　【請求項２】　前記アナログ電話機からの信号を一定速度のディジタル信号（ａ）に変換する手段は、音声波形をサンプリングしてサンプル間の差分の大きさに従って量子化幅を逐次変化させ、３２ｋｂｉｔ／ｓ（４ｂｉｔ／１２５μｓ）のディジタル信号に変換する３２ｋ・ＡＤＰＣＭ(adaptive differential pulse-code modulation ：適応差分パルス符号変調) 回路であることを特徴とする請求項１記載のＩＳＤＮ回線交換用ターミナルアダプタ。
　
　【請求項３】　前記データ端末からの信号を一定速度のディジタル信号（ｂ）に変換する手段は、
　前記データ端末からのデータ信号を３２ｋｂｉｔ／ｓ（４ｂｉｔ／１２５μｓ）のディジタル信号に変換する３２ｋ速度変換回路であることを特徴とする請求項２記載のＩＳＤＮ回線交換用ターミナルアダプタ。
　
　【請求項４】　既存のアナログ電話機とデータ端末とをＩＳＤＮ回線に接続し、対話型通信を提供するＩＳＤＮ回線交換用ターミナルアダプタにおいて、
　前記アナログ電話機とのインタフェースを実現するＳＬＩＣ部（加入者線インタフェース回路部）１、
　前記ＳＬＩＣ部１からのアナログ信号を変調する３２ｋＡＤＰＣＭ回路（適応差分パルス符号変調回路）２とＰＣＭ回路（パルス符号変調回路）３、
　前記データ端末からのディジタル信号を速度変換する３２ｋ速度変換回路４と６４ｋ速度変換回路５、
　前記３２ｋＡＤＰＣＭ回路２の出力と前記３２ｋ速度変換回路４の出力を前記ＩＳＤＮ回線の情報チャネル（Ｂｃｈ）の１本分の帯域に時分割多重するＢｃｈＴＤＭ回路６、
　前記アナログ電話機，データ端末以外の別の端末（アナログ端末またはデジタル端末）とのインタフェースを司る端末インタフェース回路７、
　要求される伝送速度に応じ、前記ＢｃｈＴＤＭ回路６の出力と前記端末インターフェース回路７の出力を前記ＩＳＤＮ回線の２本のＢｃｈへ多重し、または、前記ＰＣＭ回路３の出力と前記６４ｋ速度変換回路５の出力を前記ＩＳＤＮ回線の２本のＢｃｈへ多重するＢｃｈ制御回路８、
　を備えたことを特徴とするＩＳＤＮ回線交換用ターミナルアダプタ。
　
　【請求項５】　既存の４台の端末（例えばアナログ電話機Ａ，Ｂとデータ端末Ａ，Ｂ）をＩＳＤＮ回線に接続し、対話型通信を提供するＩＳＤＮ回線交換用ターミナルアダプタにおいて、
　前記アナログ電話機Ａからの信号を一定速度のディジタル信号（ａ）に変換する手段、
　前記アナログ電話機Ａからの信号を６４ｋｂｉｔ／ｓのディジタル信号に変換する第一の手段、
　前記データ端末Ａからの信号を一定速度のディジタル信号（ｂ）に変換する手段、
　前記データ端末Ａからの信号を６４ｋｂｉｔ／ｓのディジタル信号に変換する第二の手段、
　前記ディジタル信号（ａ）と前記ディジタル信号（ｂ）とを前記ＩＳＤＮ回線の情報チャネル（Ｂｃｈ）の１本分の帯域に時分割多重する第三の手段、
　前記アナログ電話機Ｂからの信号を一定速度のディジタル信号（ａ２）に変換する手段、
　前記アナログ電話機Ｂからの信号を６４ｋｂｉｔ／ｓのディジタル信号に変換する第四の手段、
　前記データ端末Ｂからの信号を一定速度のディジタル信号（ｂ２）に変換する手段、
　前記データ端末Ｂからの信号を６４ｋｂｉｔ／ｓのディジタル信号に変換する第五の手段、
　前記ディジタル信号（ａ２）と前記ディジタル信号（ｂ２）とを前記ＩＳＤＮ回線の情報チャネル（Ｂｃｈ）の１本分の帯域に時分割多重する第六の手段、
　要求される伝送速度に応じ、前記第三の手段の出力と前記第六の手段の出力を前記ＩＳＤＮ回線の２本の情報チャネルへ多重し、または、前記第一の手段の出力と前記第二の手段の出力もしくは前記第四の手段の出力と前記第五の手段の出力を前記ＩＳＤＮ回線の２本の情報チャネルへ多重して、前記ＩＳＤＮ回線で通信を行う手段、
　を備えたことを特徴とするＩＳＤＮ回線交換用ターミナルアダプタ。
　
　【請求項６】　前記アナログ電話機Ｂからの信号を一定速度のディジタル信号（ａ２）に変換する手段は、音声波形をサンプリングしてサンプル間の差分の大きさに従って量子化幅を逐次変化させ、１６ｋｂｉｔ／ｓ（２ｂｉｔ／１２５μｓ）のディジタル信号に変換する１６ｋ・ＡＤＰＣＭ(adaptive differential pulse-codemodulation：適応差分パルス符号変調) 回路であることを特徴とする請求項５記載のＩＳＤＮ回線交換用ターミナルアダプタ。
　
　【請求項７】　前記データ端末Ｂからの信号を一定速度のディジタル信号（ｂ２）に変換する手段は、前記データ端末Ｂからのデータ信号を４８ｋｂｉｔ／ｓ（６ｂｉｔ／１２５μｓ）のディジタル信号に変換する４８ｋ速度変換回路であることを特徴とする請求項６記載のＩＳＤＮ回線交換用ターミナルアダプタ。
　
　【請求項８】　既存の２台のアナログ電話機Ａ，Ｂと２台のデータ端末Ａ，ＢとをＩＳＤＮ回線に接続し、対話型通信を提供するＩＳＤＮ回線交換用ターミナルアダプタにおいて、
　前記アナログ電話機Ａとのインタフェースを実現するＳＬＩＣ部Ａ（加入者線インタフェース回路部）１、
　ＳＬＩＣ部Ａ１からのアナログ信号を変調する３２ｋＡＤＰＣＭ回路（適応差分パルス符号変調回路）２とＰＣＭ回路Ａ（パルス符号変調回路）３、
　前記データ端末Ａからのディジタル信号を速度変換する３２ｋ速度変換回路４と６４ｋ速度変換回路Ａ５、
　前記３２ｋＡＤＰＣＭ回路２の出力と前記３２ｋ速度変換回路４の出力を前記ＩＳＤＮ回線の情報チャネル（Ｂｃｈ）の１本分の帯域に時分割多重するＢｃｈＴＤＭ回路Ａ６、
　前記アナログ電話機Ｂとのインタフェースを実現するＳＬＩＣ部Ｂ（加入者線インタフェース回路部）１１、
　ＳＬＩＣ部Ｂ１１からのアナログ信号を変調する１６ｋＡＤＰＣＭ回路（適応差分パルス符号変調回路）１２とＰＣＭ回路Ｂ（パルス符号変調回路）１３、
　前記データ端末Ｂからのディジタル信号を速度変換する４８ｋ速度変換回路１４と６４ｋ速度変換回路Ｂ１５、
　前記１６ｋＡＤＰＣＭ回路１２の出力と前記４８ｋ速度変換回路１４の出力を前記ＩＳＤＮ回線の情報チャネル（Ｂｃｈ）の他の１本分の帯域に時分割多重するＢｃｈＴＤＭ回路Ｂ１６、
　要求される伝送速度に応じ、前記ＢｃｈＴＤＭ回路Ａ６の出力と前記ＢｃｈＴＤＭ回路Ｂ１６の出力を前記ＩＳＤＮ回線の２本の情報チャネルへ多重し、または、前記ＰＣＭ回路Ａ（パルス符号変調回路）３の出力と前記６４ｋ速度変換回路Ａ５の出力もしくは前記ＰＣＭ回路Ｂ（パルス符号変調回路）１３の出力と前記６４ｋ速度変換回路Ｂ１５の出力を前記ＩＳＤＮ回線の２本の情報チャネルへ多重して、前記ＩＳＤＮ回線で通信を行う手段、
　を備えたことを特徴とするＩＳＤＮ回線交換用ターミナルアダプタ。」
　　
２．引用刊行物
　（１）特開平８−１９５７８８号公報
　（２）特開平８−１４９５５６号公報
　（３）特開平７−２４０９８２号公報
　（４）特開平１−２９２９９１号公報
　（５）特公平１−２１６５２号公報
　（６）特公昭６３−４７３０５号公報
　
３．対比・判断
　請求項１乃至８に係る発明と引用刊行物（１）乃至（６）に記載された発明とを対比すると、上記引用刊行物（１）乃至（６）に記載された発明は、そのいずれにおいても、請求項１乃至８に係る発明を特定するために必要と認められる下記の事項を備えていない。
　
　請求項１乃至３に係る発明における
「要求される伝送速度に応じ、前記第一の手段の出力信号（ｃ２）を前記ＩＳＤＮ回線の１本の情報チャネルに割当て、または、前記ディジタル信号（ｆ）と前記ディジタル信号（ｇ）を前記ＩＳＤＮ回線の２本の情報チャネルへ多重」する構成、
　請求項４に係る発明における
「要求される伝送速度に応じ、前記ＢｃｈＴＤＭ回路６の出力と前記端末インターフェース回路７の出力を前記ＩＳＤＮ回線の２本のＢｃｈへ多重し、または、前記ＰＣＭ回路３の出力と前記６４ｋ速度変換回路５の出力を前記ＩＳＤＮ回線の２本のＢｃｈへ多重する」構成、
　請求項５乃至７に係る発明における
「要求される伝送速度に応じ、前記第三の手段の出力と前記第六の手段の出力を前記ＩＳＤＮ回線の２本の情報チャネルへ多重し、または、前記第一の手段の出力と前記第二の手段の出力もしくは前記第四の手段の出力と前記第五の手段の出力を前記ＩＳＤＮ回線の２本の情報チャネルへ多重」する構成、
　請求項８に係る発明における
「要求される伝送速度に応じ、前記ＢｃｈＴＤＭ回路Ａ６の出力と前記ＢｃｈＴＤＭ回路Ｂ１６の出力を前記ＩＳＤＮ回線の２本の情報チャネルへ多重し、または、前記ＰＣＭ回路Ａ（パルス符号変調回路）３の出力と前記６４ｋ速度変換回路Ａ５の出力もしくは前記ＰＣＭ回路Ｂ（パルス符号変調回路）１３の出力と前記６４ｋ速度変換回路Ｂ１５の出力を前記ＩＳＤＮ回線の２本の情報チャネルへ多重」する構成。
　
　そして、請求項１乃至８に係る発明は上記事項により、「高速な伝送速度を必要としない場合には１本のＢｃｈの接続だけで可能となり、無駄な回線の使用を防ぎ、余分な通信費を掛けずに効率的な伝送が可能となる」、「高速な伝送速度が必要な場合には、従来と同様に２つのデータを２本のＢｃｈで伝送する通信も行える」等の顕著な作用効果を奏するものである。
　
５．むすび
  したがって、本件出願の請求項１乃至８に係る発明はいずれも、引用刊行物記載の発明に基づいて当業者が容易に発明をすることができたものではないので、特許法第２９条第２項の規定により特許を受けることができないとは言えない。
　また、他に本件出願を拒絶する理由も発見しない。
  よって、結論のとおり審決する。